(57)【特許請求の範囲】
【請求項１】
論理的に配置した複数個のプリセット位置を有し、少なくとも２個の利用可能な信号源から１つの信号源を選択するための信号源選択デバイスと、
前記信号源選択デバイスを制御するための制御デバイスと、
携帯情報担体から情報を読取るための読取り手段と、
少なくとも一組の前記信号源について、１つの前記プリセット位置と１つの前記信号源との少なくとも１つの対応関係を記憶するように構成したメモリと、を具えている信号処理装置において、
前記メモリは第１及び第２メモリ区分を具え、該第１メモリ区分は、１つの前記信号源と、該信号源を前記一組の信号源のうちから識別する信号源の名前との間の少なくとも１つの対応関係を記憶すべく構成され、且つ前記第２メモリ区分は、１つの前記プリセット位置と１つの前記信号源の名前との間の少なくとも１つの対応関係を記憶すべく構成され、
前記読取り手段は、１つの前記プリセット位置と１つの前記信号源の名前との間の少なくとも１つの対応関係を前記携帯情報担体から読取って、当該対応関係を前記第２メモリ区分に記憶すべく構成されていることを特徴とする信号処理装置。
【請求項２】
前記信号源の各々からの信号が少なくとも１つの可制御パラメータを有している請求の範囲１に記載の信号処理装置において、
前記第２メモリ区分は、１つの前記プリセット位置と１つの前記信号源との間の対応関係の各々について、前記少なくとも１つの可制御パラメータ用のパラメータ値を記憶すべく構成され、
前記読取り手段は、さらに、前記携帯情報担体から前記パラメータ値を読取って、これらのパラメータ値を前記第２メモリ区分に記憶させるように構成されていることを特徴とする信号処理装置。
【請求項３】
さらに、前記可制御パラメータのうちの１つのパラメータ値を少なくとも２つのフォーマットに符号化する翻訳手段を含み、
前記携帯情報担体に記憶するパラメータ値は第１フォーマットに符号化され、且つ前記第２メモリ区分に記憶するパラメータ値は第２フォーマットに符号化されることを特徴とする請求の範囲２に記載の信号処理装置。
【請求項４】
当該信号処理装置はテレビジョン又は無線受信機であり、
前記利用可能な信号源はテレビジョン又は無線チャンネルであり、且つ
前記第１メモリ区分は、前記信号源の各々について、当該信号源に対応する周波数値又はチャンネル番号を記憶することを特徴とする請求の範囲１〜３のいずれかに記載の信号処理装置。
【請求項５】
当該信号処理装置はマルチメディアファイル用のプレーイング装置であり、
前記利用可能な信号源はマルチメディアファイルであり、且つ
前記信号源の各組は、別の情報担体上に収集されたマルチメディアファイルに相当することを特徴とする請求の範囲１〜３のいずれかに記載の信号処理装置。
【請求項６】
当該信号処理装置はさらに遠隔制御装置を含み、
前記読取り手段は該遠隔制御装置の一部を成すことを特徴とする請求の範囲１〜５のいずれかに記載の信号処理装置。
【請求項７】
さらに、
前記第２メモリ区分からの情報を前記携帯情報担体に書込むための書込み手段及び、
１つの前記プリセット位置と１つの前記信号源の名前との間の対応関係をセットアップし、且つこの対応関係を前記第２メモリ区分に記憶するためのセットアップ手段を含むことを特徴とする請求の範囲１〜６のいずれかに記載の信号処理装置。
【請求項８】
論理的に配置したプリセット位置によって、少なくとも２つの利用可能な信号源から１つの信号源を選択するステップと、
携帯情報担体から情報を読込むステップと
を含む信号処理方法において、
さらに、
信号源の名前によって前記１つの信号源を一意的に識別するステップと、
１つの前記プリセット位置と１つの前記信号源の名前との間の少なくとも１つの対応関係を、前記携帯情報担体から読込むステップと、
前記少なくとも１つの対応関係をメモリに記憶するステップと
を含むことを特徴とする信号処理方法。
【発明の詳細な説明】
本発明は、
−  携帯情報担体と、
−  信号処理装置であって：
−  論理的に配置した複数個のプリセット位置を有し、少なくとも２個の利用可能な信号源から１つの信号源を選択するための信号源選択デバイスと、
−  前記信号処理装置及び前記信号源選択デバイスを制御するための制御デバイスと、
−  前記携帯情報担体から情報を読取るための読取り手段と、
−  少なくとも一組の信号源に対して、或るプリセット位置と或る信号源との少なくとも１つの対応関係を記憶するようにしたメモリと、
を具えている信号処理装置と
を含む信号処理システムに関するものである。
本発明は、
−  少なくとも２つの利用可能な信号源から論理的に配列したプリセット位置によって或る信号を選択するステップと、
−  携帯情報担体から情報を読込むステップと
を含む信号処理方法にも関するものである。
本発明は前述したタイプの信号処理システムに使用する携帯情報担体及び信号処理装置にも関するものである。
斯種の信号処理システムはＷＯ９６／１５６２９から既知である。この既知のシステムは受信機、特にテレビジョン受信機と、情報担体用のカードリーダ付きの遠隔制御装置とを含むものである。情報担体は各プリセット位置に対するデータ、特に、受信機が信号源（特に、テレビジョンのチャンネル）を中継することができるかどうかを決定するデータを記憶することができる。
本発明の目的は、或るプリセット位置と或る対応する信号源との対応関係を携帯情報担体における情報によって変えることができる、冒頭にて述べた種類の信号処理システムを提供することにある。
このために、本発明による信号処理システムは、
−  前記メモリが第１及び第２メモリ区分を具え、該第１メモリ区分が或る信号源と、該信号源を一組の信号源のうちから識別する信号源の名前との少なくとも１つの対応関係を記憶すべく適合され、且つ前記第２メモリ区分が或るプリセット位置と或る信号源の名前との少なくとも１つの対応関係を記憶すべく適合され、
−  前記携帯情報担体が或るプリセット位置と或る信号源の名前との少なくとも１つの対応関係を記憶すべく適合され、
−  前記読取り手段が、前記携帯情報担体からの対応関係を読取って、これらの対応関係を前記第２メモリ区分に記憶すべく適合されるようにしたことを特徴とする。
こうした手段を講じることにより、プリセット位置と信号源との対応関係を携帯情報担体からロードされるデータによって規定することができる。これにより一組の対応関係を簡単な方法でインストールすることができる。
本発明による信号処理システムの或る実施例は請求の範囲第２項にて特徴づけられるものである。従って、各プリセット位置に対して、１つ以上のパラメータ設定値、例えば音量又は画像コントラストも携帯情報担体に記憶し、且つこれらの設定値を信号処理装置によってロードすることができる。
本発明による信号処理システムの他の例は請求の範囲第３項にて特徴づけられるものである。この例では、パラメータの設定値を携帯情報担体に標準形態で記憶するようにして、同様な信号処理システムとのコンパチビリティを改善する。
本発明による信号処理システムの他の例は請求の範囲第７項にて特徴づけられるものである。この際の信号処理システムは、信号処理装置からの対応関係及びパラメータの設定値を携帯情報担体に書込むための書込み手段も具えている。このために、ユーザは彼個人の優先的な設定値を複数の同様な信号処理システムにインストールすることができる。
本発明による信号処理方法は、前記携帯情報担体における情報が、或るプリセット位置と或る信号源の名前との少なくとも１つの対応関係を含むことを特徴とする。
本発明のこれらの要点及び他の要点を実施例につきさらに詳細に説明する。
図面は本発明による信号処理システムの線図を示す。
図面に示したシステムは携帯情報担体２及び信号処理装置８を具えている。信号処理装置８は信号源選択デバイス１１を具え、このデバイスは複数個の信号源９に対応関係１２でリンクされる論理的に配列した複数のプリセット位置１０を有している。信号源選択デバイス１１は制御デバイス７によって操作することができる。前記対応関係は、第１メモリ区分４及び第２メモリ区分５を有しているメモリ３に記憶される。携帯情報担体２を読取り手段１によって読取って、その情報をメモリ３にロードすることができる。
信号源９は、例えば無線局又はテレビ局とするか、携帯情報担体におけるマルチメディアファイルとすることができる。信号源９が無線又はテレビ局である場合には、信号源選択デバイス１１を無線又はテレビ受信機のチューナとすることができる。信号源９がマルチメディアファイルである場合には、信号源選択デバイス１１をＣＤプレーヤのトラックセレクタとすることができる。多数の信号源９は、対応関係１２によって多数のプリセット位置１０に関連づけられる。信号源９の１つには幾つかのプリセット位置１０を対応づけることができる。
前記対応関係１２はメモリ３に記憶される。或る対応関係は、慣例では、表１に示すようなテーブルで構成する。
0004350171.tif 000002
プリセット位置は表１の第１列に示したように明示的に表わすか、又は行の連続番号によって暗黙的に表わすことができる。最も簡単な形態では、このようなテーブルはプリセット位置１０に対する列及び特定データに対する列を有するだけである。信号源９が無線又はテレビ局である場合には、特定データを周波数又はチャンネル番号とすることができる。この場合には、周波数及び／又はチャンネル番号を或るプリセット位置に割当てる。さらに、或る行には信号源の名前、例えばテレビ局の名前又は識別コード並びにパラメータ値、例えばその行に対応する無線又はテレビ局に特別に適用する画像及び音声の設定値を含めることができる。
しかし、本発明による信号処理システムでは、テーブルを２つに分けて、第１メモリ区分４が表２に基づくテーブルを記憶し、第２メモリ区分５が表３に基づくテーブルを記憶するようにする。
0004350171.tif 000003
0004350171.tif 000004
第１メモリ区分４におけるテーブルは、信号源の名前と、特定データ及びオプションのパラメータ値との対応関係を包含する。第２メモリ区分５におけるテーブルはプリセット位置と、信号源の名前及びオプションのパラメータ値との対応関係を包含する。
この場合にも、プリセット位置は表３の第１列に示したように明示的に表わすか、行の連続番号によって暗黙的に表わすことができる。
第２メモリ区分５におけるテーブルには特定データが含まれていないから、このテーブルは、信号源の名前がそれぞれのシステムにて同じであるとすれば、本発明による複数の信号処理システム間にて携帯情報担体によって交換することができる。このために、たとえこれらのシステムに対する特定データがシステム毎に異なっていても、予選選択設定値を複数のシステムに簡単にインストールすることができる。よくあることは、例えば、或るテレビ局が或る大きな地域全体を通じて特定の名前で知られているも、そのＴＶ局を受信し得る周波数は、そのＴＶ局によって伝送されるＴＶ信号を受信するケーブルネットワーク又は伝送アンテナに依存すると言うことである。携帯情報担体２及び第２メモリ区分５には、例えば種々の地域での使用や、種々の周波数レンジの使用や、種々のカテゴリへの分割用に複数組の予選択設定値を含めることができる。
携帯情報担体２を読取るために、本発明による信号処理システムは、携帯情報担体２から対応関係を読取って、これらの対応関係を第２メモリ区分５にロードし得る読取り手段１を具えている。携帯情報担体２は、磁気ストリップカード、チップカード又は本来既知の他の任意タイプの情報担体とすることができる。携帯情報担体２の読取りは、光学技法、誘導技法又は本来既知の他の任意タイプの技法によって行なうことができる。
好適実施例における本発明による信号処理システムはセットアップ手段１３及び書込み手段１４も具えている。セットアップ手段１３、信号源選択デバイス１１及び制御デバイス７によって、プリセット位置と信号源の名前との対応関係をセットアップし、且つその対応関係を第２メモリ区分５に記憶させることができる。書込み手段１４は読取り手段１と組合せることができる。こうしたステップにより、ユーザは対応関係を第１システムにセットアップし、これらの対応関係を書込み手段１４により携帯情報担体に書込んでから、後にこれらの関係を第２システムの読取り手段１により第２システムにインストールすることができる。
同様に、例えば音量及び画像の輝度の如きパラメータの設定値を同じようなシステム間にて交換することができる。このために、本発明による信号処理システムは、パラメータ値を設定すると共に、これらを所定の信号源の名前に割当てる手段を具えている。この場合のパラメータ値は翻訳手段１５によって種々のプロトコルで表わすことができ、携帯情報担体２に記憶するパラメータ値は第１プロトコルで表現し、第２メモリ区分５に記憶するパラメータ値は第２プロトコルで表現する。他の例では、第２メモリ区分５に記憶するパラメータ値を第１プロトコルで表現し、これらのパラメータ値に対応する信号源を選択する場合に、これらのパラメータ値を第２プロトコルに翻訳する。パラメータ値の互換性は、広く受け入れられている標準のものに第１プロトコルを適合させることにより向上させることができる。
信号源選択デバイス１１は制御デバイス７によって制御することができる。プリセット位置は、論理上の次のプリセット位置か、又は論理上の以前のプリセット位置を選択する手段によるか、表示スクリーン上のメニュによるか、本来既知の他の任意のプリセット位置選択法によりユーザが数字入力により選択することができる。
本発明による信号処理システムの他の例では、信号処理装置８をＣＤプレーヤとし、且つ信号源選択デバイス１１をトラックセレクタとする。この場合、ＣＤにおけるトラックは一組の信号源を成す。ＣＤを装填するか、又は選択した場合には、そのＣＤのトラックをＣＤにおける識別データにより既知の方法で自動的に検出することができる。携帯情報担体２には一度に複数のＣＤに対するプレイリストを含めることができる。この場合の信号源の名前はトラック番号により形成され、プリセット位置はプレイリスト内のトラックの位置に対応する。まつり、第１プリセット位置がプレイリストにおける第１トラックに対応し、第２プリセット位置が第２トラックに対応するように、それぞれのプリセット位置がそれぞれのトラックに対応する。このように、プリセット位置は論理的なシーケンスで配列され、これらの位置は、或る所定のプリセット位置から出発して、論理上の次か、又は論理上の以前のプリセット位置を選択する手段により選択することができる。しかし、プリセット位置は必ずしも数字入力により制御デバイス７を介して選択できるようにする必要はない。このようなやり方は、本例では信号源の名前がトラック番号により形成されるから、ユーザを困惑させることになる。例えば、プレイリストが指定のリスト〔トラック１，トラック４，トラック２〕で形成されており、数字入力が“２”である場合に、ユーザが第２プリセット位置に対応するトラック４を選択することを望むのか、トラック２を選択したいのかどうかの疑いが生じる。このために、本発明の他の例では、或るトラックがプレイリストにある場合には、数字入力の際に、入力した番号に対応するトラック番号を有するそのトラックが選択されるようにする本来既知の方法を利用することができる。このようにして選択されるプリセット位置は当然ながら、プレイリスト内の選択トラックの第１位置とするか、別の例では、現行プリセット位置に対するプレイリスト内の選択トラックの次の位置とすることができる。
他の例では、ＣＤプレーヤを表示スクリーンに結合させることもできる。
この場合には、信号源の名前をトラック名とし、プレイリストをこれらトラック名のメニューとして表示スクリーン上に示して、これからユーザは既知の方法にて或るトラックを選択することができる。
本発明による信号処理システムは、ＣＤプレーヤ用だけでなく、任意タイプのプレーイング装置に使用するのに好適であり、随意マルチメディアファイルを記録するのにも好適であり、これらのマルチメディアファイルには、例えば、音声、映像、図形及び対話機能の如き一種以上の情報を含めることができる。
プリセット位置の論理配置は、直線的な配列とすることができるが、他の例ではもっと複雑な構成とし、例えば階層構成又はネットワーク構成とすることができる。このような構成によれば、例えば無線又はＴＶ局を種々のカテゴリ及びサブカテゴリで編成することができる。本発明の好適例では、ユーザに斯かる構成を呈示させるために、制御デバイス７が表示スクリーンを含むようにする。このためには、例えばテレビジョン受信機の表示スクリーンを用いることができる。階層構成は表示スクリーン上にサブメニューを有するメニューとして表わすことができ、サブメニューそのものは巡回的な方法でのサブメニューで構成することができる。本例では、制御デバイス７が、例えばサブメニューの開始及び画素の選択の如き、もっと複雑な構成を利用する手段も含むようにする。
本例では、第１メモリ区分４及び第２メモリ区分５におけるそれぞれのテーブルが、例えば予じめ規定した、又はユーザが規定したカテゴリ名の如き、もっと複雑な構成を規定する情報も含むようにする。
本発明は、信号処理装置（8）及び携帯情報担体（2）を含む信号処理システムに関するものである。信号処理装置は複数個のプリセット位置（10）を有する信号源選択デバイス（11）を具えている。或るプリセット位置は或る信号源（9）と、複数のパラメータ値とに関連づけることができる。こうしたプリセット位置は、読取り手段（1）、書込み手段（14）及び携帯情報担体を用いて同様な信号処理装置間にて交換することができる。第１メモリ区分（4）では、信号源の名前を周波数又はチャンネル番号の如き特定データと関連づける。第２メモリ区分（5）及び携帯情報担体のメモリでは、プリセット位置をパラメータ値と、或る所定組の信号源のうちからのそれぞれの信号源を独自に識別する信号源の名前とに関連づける。
0004350171.tif 000005